(57)【要約】  【課題】  所定の位置で型崩れすることなく装着することができ、また再生利用可能で、しかも脱臭効率の高い脱臭フィルター及びそれを用いた空気清浄用フィルターユニット及びそれを備えた空気調節装置を提供する。  【解決手段】  各収納室４２間の傾斜連結部である縫い目１３は、空気の流れ方向に対して所定の角度で傾斜している。各収納室４２の上部には空間部４２ａができるが、その上側の収納室４２の下部では、縫い目１３の壁際まで吸着材１８が詰められているので、空気の流れ方向に対して、下側の収納室４２にできた空間部４２ａに、上側の収納室４２に詰められた吸着材１８が重なる関係となる。これにより、各収納室４２の空間部同士が重なることはなく、脱臭フィルター４に入った空気は、必ず吸着材１８と接触しながら通過し放出される。【選択図】      図５
2004255159.tif 000002
【特許請求の範囲】
【請求項１】
第１の吸着材と、該第１の吸着材を収納する第１の収納室と、
第２の吸着材と、該第２の吸着材を収納する第２の収納室と、
を備え、
通過する空気が前記第１の吸着材及び前記第２の吸着材の少なくとも一方に接触しながら通過するように、前記第１の収納室及び前記第２の収納室を配設したことを特徴とする脱臭フィルター。
【請求項２】
空気の流れ方向に対して、前記第１の収納室を風上側に、前記第２の収納室を風下側に配設し、前記第１の収納室における前記第１の吸着材が存在しない空間部の風下側に、前記第２の収納室における前記第２の吸着材が存在する部分が位置するようにしたことを特徴とする請求項１に記載の脱臭フィルター。
【請求項３】
前記収納室は柔軟な材料で構成されていることを特徴とする請求項１又は請求項２に記載の脱臭フィルター。
【請求項４】
前記第１の収納室と前記第２の収納室とを連結し、袋体を形成して成ることを特徴とする請求項３に記載の脱臭フィルター。
【請求項５】
前記収納室の下部に、該収納室の形状を維持する形状維持部材を備えたことを特徴とする請求項４に記載の脱臭フィルター。
【請求項６】
前記収納室の上部及び下部に、該収納室の形状を維持する形状維持部材を備えたことを特徴とする請求項４に記載の脱臭フィルター。
【請求項７】
前記第１の収納室を複数連結して成る第１の袋体と、前記第２の収納室を複数連結して成る第２の袋体と、を備えたことを特徴とする請求項３に記載の脱臭フィルター。
【請求項８】
前記第１の収納室と前記第２の収納室とが交互に位置をずらして配設されるように、前記第１の袋体及び前記第２の袋体を配置したことを特徴とする請求項７に記載の脱臭フィルター。
【請求項９】
前記第１の袋体の第１の収納室間の凹部に前記第２の袋体の第２の収納室が配設されていることを特徴とする請求項７又は請求項８に記載の脱臭フィルター。
【請求項１０】
請求項１〜請求項９のいずれかに記載の脱臭フィルターと、プレフィルターと、集塵フィルターとを枠体内に備える空気清浄用フィルターユニットにおいて、
前記枠体内に、空気の吸込側から前記プレフィルター、前記脱臭フィルター、前記集塵フィルターの順に配設するとともに、プレフィルターと脱臭フィルターとの間、若しくは脱臭フィルターと集塵フィルターとの間にフィルター押さえ枠を配設し、脱臭フィルターとフィルター押さえ枠は、前記空気清浄用フィルターユニットの枠体から取り出し可能であり、脱臭フィルターとフィルター押さえ枠の該枠体からの脱落を防止するために、プレフィルターが枠体に結合されることを特徴とする空気清浄用フィルターユニット。
【請求項１１】
前記集塵フィルターは前記枠体から取り出し可能であり、該集塵フィルター及び前記脱臭フィルター及び前記フィルター押さえ枠の、該枠体からの脱落を防止するために、前記プレフィルターが枠体に結合されることを特徴とする請求項１０に記載の空気清浄用フィルターユニット。
【請求項１２】
前記フィルター押さえ枠は、前記脱臭フィルターが存在する側の表面に突起部を備えることを特徴とする請求項１０又は請求項１１に記載の空気清浄用フィルターユニット。
【請求項１３】
前記突起部は、前記脱臭フィルターの収納室の略中央部を押さえることを特徴とする請求項１２に記載の空気清浄用フィルターユニット。
【請求項１４】
前記プレフィルター及び前記脱臭フィルター及び前記集塵フィルターを、各々フィルター面が垂直になるように配設することを特徴とする請求項１０〜請求項１３のいずれかに記載の空気清浄用フィルターユニット。
【請求項１５】
請求項１０〜請求項１４のいずれかに記載の空気清浄用フィルターユニットを備えた空気調節装置。
【発明の詳細な説明】
【技術分野】
【０００１】
本発明は、脱臭フィルター及びそれを用いた空気清浄用フィルターユニット及びそれを備えた空気調節装置に関するものである。
【背景技術】
【０００２】
室内の空気は、塵埃，タバコの煙，花粉，呼吸とともに排出される二酸化炭素など、様々な物質で汚染されている。近年では住宅の高気密化が進んだこともあり、汚染物が室内に溜まりやすいので、快適な環境を得るために、積極的に空気を改質する必要がある。
【０００３】
空気を改質するにあたり、空気中に浮遊する不快或いは有害な汚染物を除去するためには、これらをフィルターによって濾過，吸着，分解するのが一般的である。このような目的で使用される従来の空気清浄用フィルターには、プレフィルターと脱臭フィルター，集塵フィルターの組み合わせにより構成したものがある。
【０００４】
プレフィルターは、大きな塵埃を捕集する。脱臭フィルターは、空気中の臭い成分であるアセトアルデヒド，アンモニア，酢酸などを吸着する。集塵フィルターは、微細な塵埃を捕集するものであり、いわゆるＨＥＰＡフィルターの使用も提案されている。フィルターは、長期にわたり使用すれば性能が低下するので、交換などのメンテナンスを行って性能を維持している。
【０００５】
上記のような空気清浄用フィルター用の脱臭フィルターとして、吸着量を多くするために、粒状活性炭で構成された脱臭フィルターを使用した空気清浄用フィルターが提案されている（例えば、特許文献１参照。）。この技術による脱臭フィルターは、合成樹脂などで形成されたハニカムコアの中に粒状活性炭を収納して全体を平板状に構成したものである。
【０００６】
また、所定の間隔に区切られた小室に保持される活性炭層と、特定の臭いを脱臭可能な消臭剤を含浸させた不織布層とからなり、前記活性炭層と前記不織布層は一体化した構成のものが開示されている（例えば、特許文献２参照。）。ここでの活性炭層は、特許文献１と同様にハニカム構造となっている。
【０００７】
また、その他に、布などの柔軟な材料で袋状の収納室を形成し、その中に粒状活性炭を収納して全体を平板状に構成したものもある（例えば、特許文献３，４参照。）。
【０００８】
さらに、気体の流れに対向してその流れの方向と垂直に後部消・脱臭性フィルターを設けるとともに、前記消・脱臭性フィルターの吸気側に、それに端部を接して板状の消・脱臭部材を前記消・脱臭性フィルターに対して略垂直にかつ隣り合う消・脱臭部材を離間して互いに略平行に複数個設けてなる構成のものが開示されている（例えば、特許文献５参照。）。
【特許文献１】特開平１１−１１４３３３号公報
【特許文献２】特開２００２−５８７２９号公報
【特許文献３】実登３０４４０５４号公報
【特許文献４】実開平４−１２２６２４号公報
【特許文献５】実開平６−８５０２４号公報
【発明の開示】
【発明が解決しようとする課題】
【０００９】
特許文献１或いは特許文献２に記載のような空気清浄用フィルターは、臭いの吸着スピードが速く、且つ吸着できる量も多いが、これらの能力にも限界があり、快適な空気へと改質する性能を維持するためには、脱臭フィルターの交換が必要である。したがって、ランニングコストが高くなる傾向にある。
【００１０】
これに対し、特許文献３或いは特許文献４に記載のような、布などの柔軟な材料の袋で形成された脱臭フィルターは、洗濯機などで洗浄して再生が可能なため、ランニングコストが安いが、全体が柔軟であるがために、自身で形を保持するのが困難である。
【００１１】
また、上記特許文献１或いは特許文献２における脱臭フィルター、及び特許文献３或いは特許文献４のような布などの柔軟な材料の袋で形成された脱臭フィルターは、それぞれハニカムコア或いは袋の中の活性炭が自重で下方にさがり、上側に空間ができる。このように空間部を生じた脱臭フィルターを空気が通過するとき、その空間を通る空気は活性炭との接触することなく通過するので、空間を通過する空気の脱臭ができないという問題があった。
【００１２】
さらに、上記特許文献５に記載のような構成では、不織布フィルターやハニカムフィルターを立体的に組み合わせて用いており、構造が複雑でコストアップになるとともに、余分なスペースが必要となる。
【００１３】
本発明は上記の点に鑑みなされたものであり、所定の位置で型崩れすることなく装着することができ、また再生利用可能で、しかも脱臭効率の高い脱臭フィルター及びそれを用いた空気清浄用フィルターユニット及びそれを備えた空気調節装置を提供することを目的とする。
【課題を解決するための手段】
【００１４】
上記目的を達成するために、本発明では、第１の吸着材及びその第１の吸着材を収納する第１の収納室と、第２の吸着材及びその第２の吸着材を収納する第２の収納室とを備え、通過する空気が前記第１の吸着材及び前記第２の吸着材の少なくとも一方に接触しながら通過するように、前記第１の収納室及び前記第２の収納室を配設している。
【００１５】
具体的には、空気の流れ方向に対して、前記第１の収納室を風上側に、前記第２の収納室を風下側に配設し、前記第１の収納室における前記第１の吸着材が存在しない空間部の風下側に、前記第２の収納室における前記第２の吸着材が存在する部分が位置するようにしている。また、前記収納室は柔軟な材料で構成されていることを特徴とする。
【００１６】
そして、前記第１の収納室と前記第２の収納室とを連結し、袋体を形成して成る構成において、前記収納室の下部に、その収納室の形状を維持する形状維持部材を備えている。さらに、前記収納室の上部及び下部に、その収納室の形状を維持する形状維持部材を備えている。
【００１７】
或いは、前記第１の収納室を複数連結して成る第１の袋体と、前記第２の収納室を複数連結して成る第２の袋体とを備え、前記第１の収納室と前記第２の収納室とが交互に位置をずらして配設されるように、前記第１の袋体及び前記第２の袋体を配置している。さらに、前記第１の袋体の第１の収納室間の凹部に前記第２の袋体の第２の収納室を配設している。
【００１８】
その他、フィルター押さえ枠は、脱臭フィルターが存在する側の表面に突起部を備え、その突起部は脱臭フィルターの収納室の略中央部を押さえる構成としている。
【発明の効果】
【００１９】
本発明によれば、所定の位置で型崩れすることなく装着することができ、また再生利用可能で、しかも脱臭効率の高い脱臭フィルター及びそれを用いた空気清浄用フィルターユニット及びそれを備えた空気調節装置を提供することができる。
【００２０】
具体的には、前記第１の収納室における前記第１の吸着材が存在しない空間部の風下側に、前記第２の収納室における前記第２の吸着材が存在する部分が位置するようにして、通過する空気が前記第１の吸着材及び前記第２の吸着材の少なくとも一方に接触しながら通過する構成とすることにより、各収納室の空間部同士が重なることはなく、脱臭フィルターに入った空気は、必ず吸着材と接触しながら通過し放出されるので、脱臭効果が向上する。
【００２１】
また、前記収納室は柔軟な材料で構成されていることにより、洗濯機などに投入して洗浄し、再生することが可能となる。
【００２２】
また、前記第１の収納室と前記第２の収納室とを連結し、袋体を形成して成る構成において、前記収納室の形状を維持する形状維持部材を備えることにより、各収納室の過度の膨らみを防止し、脱臭効果を確実に得ることができる。さらに、形状維持部材を収納室の上下両側に設けたことにより、脱臭フィルターが上下逆に装着されたとしても、同様にして収納室の過度の膨らみを防止し、脱臭効果を確実に得ることができる。
【００２３】
また、前記第１の収納室を複数連結して成る第１の袋体と、前記第２の収納室を複数連結して成る第２の袋体とを備え、前記第１の収納室と前記第２の収納室とが交互に位置をずらして配設されるように、前記第１の袋体及び前記第２の袋体を配置している構成において、前記第１の袋体の第１の収納室間の凹部に前記第２の袋体の第２の収納室を配設することにより、脱臭フィルターの薄型化を図ることができる。
【００２４】
その他、吸着材が収納された収納室の略中央部を押さえる構成とすることにより、この状態で収納室に収納された吸着材が上下方向に移動するために、収納室内部の空間部が減少して殆どなくなるので、空気清浄用フィルターユニットに入った空気は、必ず脱臭フィルターの吸着材と接触しながら通過し放出されるため、脱臭効果が向上する。
【発明を実施するための最良の形態】
【００２５】
以下、本発明の実施の形態について、図面を参照しながら説明する。図１は、本発明の一実施形態に係る空気清浄用フィルターユニットの構成要素を分解した状態の正面斜視図である。図２は、図１に示す空気清浄用フィルターユニットの組立状態の正面斜視図である。空気清浄用フィルターユニット１は、空気清浄機に組み合わせるものとして設計されており、枠体６の中に３種類のフィルター、即ち空気の吸込み側から、プレフィルター２，脱臭フィルター４，集塵フィルター５が配設されている。プレフィルター２と脱臭フィルター４の間には、フィルター押さえ枠３が配設されている。
【００２６】
図３は、図１に示す空気清浄用フィルターユニットのプレフィルターの正面斜視図である。プレフィルター２は、ポリプロピレン製のメッシュ２２が、ＡＢＳなどの合成樹脂で形成された長方形枠２１に、４段４列の窓を形成するように溶着されている。長方形枠２１には、その側面に、一方の側面につき２個ずつ、計４個の突起部２３が備えられている。また、正面にはつまみ２４が備えられている。プレフィルター２は、吸込まれた空気の中から大きめの塵埃を捕集する。
【実施例１】
【００２７】
図４は、図１に示す空気清浄用フィルターユニットの脱臭フィルターの概略構成図であり、実施例１の状態を示している。図４（ａ）は脱臭フィルターの正面斜視図、図４（ｂ）は脱臭フィルターの側面図である。脱臭フィルター４は、ポリプロピレン繊維とポリエステル繊維からなる長方形の袋体４１を、大きさが均等な複数の収納室４２が上下方向に連続するように区分けし、その各々に吸着材（例えば活性炭）を均一に分散して詰めたものである。
【００２８】
なお、同図では収納室４２は７つ描いてあるが、これに限定されるわけでは勿論なく、本実施例においては、実際は９つとしている。袋体４１は、全体が合成繊維のような柔軟な材料で構成されているため、各々の収納室４２に吸着材を詰めることによって、図４（ｂ）のように側面から見ると表面に凹凸が形成される。
【００２９】
図５は、収納室における吸着材と空間部の位置関係を模式的に示す側面断面図である。同図に示すように、各収納室４２間の縫い目１３は、傾斜連結部となっている。これは、傾斜断面方向に所定の長さ（約６ｍｍ）を後述のように立体縫いすることで形成される。この傾斜連結部である縫い目１３は、脱臭フィルター４の装着状態では、空気の流れ方向に対して４５度以上上向き（或いは下向き）の角度で傾斜している。この角度は限定されるものではなく、袋体４１の厚みによっても変わることがある。
【００３０】
このような脱臭フィルター４の装着状態では、各収納室４２に詰められた吸着材１８は、自重で下方にさがり、各収納室４２の上部に空間部４２ａができる。しかし、その上側の収納室４２の下部では、傾斜連結部である縫い目１３の壁際まで吸着材１８が詰められているので、空気の流れ方向に対して、傾斜連結部を挟んで一方（下側）の収納室４２にできた空間部４２ａに、他方（上側）の収納室４２に詰められた吸着材１８が重なる関係となる。
【００３１】
これにより、各収納室４２の空間部同士が重なることはなく、脱臭フィルター４に入った空気は、同図の矢印αで示すように、必ず吸着材１８と接触しながら通過し放出されるので、脱臭効果が向上する。その他、上述したように、縫い目１３の壁際まで吸着材１８を詰めることができるので、収納室４２に挿入できる吸着材１８が多くなるメリットがある。また、袋体４１は一列配置するだけで済むので、脱臭フィルター４の薄型化を図ることができる。
【００３２】
本実施例では、上記収納室の空間部のように、敢えてはっきりと吸着材の隙間ができる部分を設け、その部分を確実に別途吸着材で補うところに特徴がある。その他、特許文献１のような場合は脱臭フィルターが板状の構成であるので、吸着材として活性炭を使用していても、後述するように洗濯機に投入して洗浄するといったことはできない。
【００３３】
なお、本実施例で用いる脱臭フィルターの基本構成を以下に説明しておく。図６は脱臭フィルターの正面図、図７は脱臭フィルターの上面図、図８は脱臭フィルターの垂直断面図、図９は脱臭フィルターの部分拡大断面図である。
【００３４】
脱臭フィルター４は正面形状矩形の袋体４１を有する。袋体４１は２枚のメッシュ材１１を縫い合わせたものである。メッシュ材１１としてはＰＰ（ポリプロピレン）やポリエステルなどの合成繊維を織るか、若しくは編むかしたものを使用する。粒状の吸着材、又はその砕片が外に漏れ出さない程度のメッシュの細かさとしたものを用いる。
【００３５】
矩形のメッシュ材１１を２枚重ねて縫いつけ、複数の収納室４２を有する袋体４１を形成する。袋体４１の大きさは、一例として厚さ×タテ×ヨコが２０×３１０×４１４ｍｍとする。縫いつけはメッシュ材１１の短辺と平行する方向に行う。縫いつけにより形成された縫い目１３はチューブ状の収納室４２の長辺を区画する。互いに平行な縫い目１３を一定間隔で設けることにより、チューブ状の収納室４２が複数個、互いに平行する形で形成される。
【００３６】
縫い目１３は「立体縫い」とする。「立体縫い」は図９に示す技法であり、メッシュ材１１，１１が密着せず間隔が開くように縫う。メッシュ材１１，１１の間には縫い糸１４の「柵」ができる。通常の縫い方では縫い目のところがぴったりと密着し、粒状の吸着材を縫い糸１４に近づけることはできないが、「立体縫い」であれば縫い目１３の箇所でもメッシュ材１１，１１の間が開いているので、縫い糸１４に接触するところまで吸着材を詰め込むことができる。
【００３７】
図６において、脱臭フィルター４の上端に位置する収納室４２及び下端に位置する収納室４２については、さらに次のような加工を施す。即ち袋体４１の辺縁部であり、且つ収納室４２の一方の側縁部をなす箇所、図６に即して言えば袋体４１の上縁及び下縁には、立体縫いの縫い目１３の外側に通気性のスペーサー１５（図８参照）を置き、このスペーサー１５をメッシュ材１１，１１で挟んだうえでミシン掛け１６を行う。
【００３８】
このようにスペーサー１５を置いたことにより、立体縫いの特質、即ちメッシュ材１１，１１の間が離れているという特質をなくすことなく袋体４１の上縁及び下縁の閉じ合わせ処理を行うことができる。スペーサー１５が存在するので、吸着材の砕片が立体縫いの縫い糸１４の隙間から外部に漏れ出すこともない。
【００３９】
スペーサー１５には不織布を用いる。この場合、不織布にはミシン掛けが施されるものであり、溶着ではないので、通気性は保たれており、脱臭フィルター４の通気抵抗が大きく増えることはない。なお、メッシュ材１１，１１の上縁及び下縁にはラッセル編みが施され、繊維がほつれないようになっている。
【００４０】
上記のようにして収納室４２のチューブ形状を整えた後、収納室４２の一方の小口部を閉じる。即ち袋体４１の側縁の一方をミシンで縫い合わせる。縫い方はオーバーロック縫いとする。袋体４１の一方の側縁にオーバーロック縫い１７を施して収納室４２の一方の小口部を閉じた後、収納室４２の開いている方の小口部から粒状の吸着材１８（図８参照）を入れる。吸着材１８は例えば活性炭からなる。
【００４１】
活性炭を用いる場合、各収納室４２には一定量（例えば約５５ｇ）が挿入される。吸着材１８を構成する活性炭の形状は粒状に限られない。繊維状であってもよい。要はメッシュ材１１の目を通り抜けて出てこなければよい。活性炭の種類はやしがら系、石炭ピッチ系、ポリアクリロニトリル系、セルロース系など何でもよい。
【００４２】
活性炭は少なくとも１０〜１３オングストロームの平均細孔径を有するものが好ましい。平均細孔径が１０オングストローム未満と小さい場合は吸着した臭い物質が放出されにくく、吸着能力の持続が難しい。逆に平均細孔径が１５オングストローム以上と大きい場合は臭い物質の吸着が困難になる。
【００４３】
また、活性炭は希塩酸で処理してもよい。約２％の希塩酸に活性炭を浸漬した後引き上げて乾燥させると、ポア内部まで塩素が付着した活性炭を得ることができる。その他、吸着材１８としては活性炭の他にゼオライト、シリカゲル、水酸化アルミニウム、セピオライトなどが使用可能である。これらのものを混合して使用してもよい。
【００４４】
すべての収納室４２に所定量の吸着材１８を詰め込んだ後、収納室４２の開いている小口部を閉ざす。即ち袋体４１の他方の側縁をミシンで縫い合わせる。これもオーバーロック縫い１７とする。また、左右いずれかのオーバーロック縫い１７を行う際、脱臭フィルター４を洗うときの注意点を記載した布製の洗濯ケアタグ１９を同時に縫い付ける。上記のようにして完成品とされた脱臭フィルター４は、吸着材１８により空気中の臭い物質であるアセトアルデヒド，アンモニア，酢酸などを吸着する。
【００４５】
長期にわたり使用して吸着能力が低下した場合、吸着材１８として活性炭を使用しているのであれば、脱臭フィルター４を洗って吸着材１８の吸着能力を回復させることができる。この時、縫い目１３の方向を軸線方向とする筒の形に脱臭フィルター４を巻き、輪ゴムや紐でくくって洗濯機に投入すれば、簡単に洗浄を行うことができる。また、脱臭フィルター４を別売とするとき、同様にしてこれを巻いてくくった状態とすることができるので、省スペース化を図ることができる。
【００４６】
図１０は、脱臭フィルターの内部を模式的に示す図であり、同図（ａ）は部分斜視図、同図（ｂ）は部分側面断面図である。本実施例では、同図（ａ）に示すように、傾斜連結部である縫い目１３には、脱臭フィルター４の全幅に渡って、上述した縫い糸１４の「柵」が連続的に設けてあるが、それに加えて、縫い目１３の上端及び下端よりそれぞれ略水平方向に延びる単数の或いは複数本束ねた張り糸２０を、表裏のメッシュ材１１，１１間に渡って、脱臭フィルター４の幅方向即ち収納室４２の長手方向の所定間隔毎（例えば１５ｍｍピッチ程度）に設けてある。なお、同図では各収納室４２における上下方向反対側の張り糸２０については、図示を省略している。
【００４７】
改めて説明すると、同図（ｂ）に示すように、縫い目１３の上端ａ及び下端ｂよりそれぞれ略水平方向に延びる張り糸２０を、表裏のメッシュ材１１，１１間即ちａ−ｃ間，ｂ−ｄ間に渡って設けてある。各張り糸２０は１本でも複数本でも良いが、本実施例では２〜３本束ねたものとしている。なお、張り糸２０は必ずしも縫い目１３の上端或いは下端より延びていなくても良い。例えば各収納室４２の上下方向中央部分に設けた構成としても良い。以上の構成により、収納室４２の過度の膨らみを防止することができる。また、張り糸２０を縫い目１３の上下両側、言い替えれば収納室４２の上部及び下部に設けたことにより、脱臭フィルター４が上下逆に装着されたとしても、同様にして収納室４２の過度の膨らみを防止することができる。
【００４８】
図１１は、図１に示す空気清浄用フィルターユニットの集塵フィルターの正面斜視図である。集塵フィルター５は、いわゆるＨＥＰＡフィルターであって、ポリエステル／ビニロン系不織布からなる骨材に電石加工したメルトブロー不織布を合わせて濾材とし、これを折り畳んだ上、その上下面にハイドロキシアパタイト加工した不織布からなる抗菌シートを重ねて熱圧着し、ホットメルト処理した不織布からなる枠を溶着したものであり、微細な塵埃を捕集する。
【００４９】
図１２は、図１に示す空気清浄用フィルターユニットのフィルター押さえ枠を脱臭フィルターの側から見た斜視図である。フィルター押さえ枠３は、長方形の枠３１に、空気の流入が可能な９段３列の角孔３２を備える（図示は７段）。角孔３２の高さは、脱臭フィルター４の表面の凹凸に合わせて設定されている。また、風下側の面、即ち脱臭フィルター４に向き合う面に、各角孔３２の間に計８本の桟状の突起部３３が備えられている（図示は６本）。この桟状の突起部３３は、横幅がフィルター押さえ枠３の横幅と同じであり、脱臭フィルター４に向かい水平方向に突出している。なお、脱臭フィルター４を押さえるための突起部は、必ずしも桟状である必要はなく、棒状などの突起であっても良い。
【００５０】
図１３は、図１に示す空気清浄用フィルターユニットの枠体の正面斜視図である。枠体６は、風上側の１面が完全に開放された箱体６１であり、風下側の面には、空気の流入が可能な６段４列の角孔６２と格子枠６３を備える。格子枠６３は、集塵フィルター５の抜け落ちを防止するためのものである。枠体６の厚さは、その内部に、集塵フィルター５，脱臭フィルター４，フィルター押さえ枠３，プレフィルター２が収納可能な厚さである。その側面には、一方の側面につき２個ずつ、計４個の係止穴６４が設けられている。
【００５１】
図１４は、図１に示す空気清浄用フィルターユニットの脱臭フィルターとフィルター押さえ枠の位置関係を示す側面図であり、実施例１の状態を示している。脱臭フィルター４をほぼ垂直方向に起立させて前記枠体６に納める場合、全体が柔軟であるがために、それを垂直に装着する場合に形を保持しておくのが困難で、所定の位置からずれてしまうという問題が生じる。
【００５２】
そこで、図中の矢印のように、フィルター押さえ枠３に備えられた桟状の突起部３３を、脱臭フィルター４の袋体４１表面の凹部４３に一致させている。或いは裏面の凹部４３に一致させても良い。これにより、脱臭フィルター４はフィルター枠３とずれることなく、枠体６の内部で型崩れせずに、所定の位置を保持することが可能である。
【００５３】
また、同図では片側からフィルター押さえ枠３で脱臭フィルター４を支持しているが、両側からフィルター押さえ枠３で脱臭フィルター４を支持するようにしても良い。即ち、一つのフィルター押さえ枠３に備えられた桟状の突起部３３を、脱臭フィルター４の袋体４１表面の凹部４３に一致させ、もう一つのフィルター押さえ枠３に備えられた桟状の突起部３３を、脱臭フィルター４の裏面の凹部４３に一致させても良い。これにより、全体が柔軟で自重が重くても、脱臭フィルター４をほぼ垂直方向に起立させて前記枠体６に装着，保持することができ、所定の位置からずれてしまうという問題が解消される。
【００５４】
図１５は、脱臭フィルターとフィルター押さえ枠の位置関係の他の例を示す側面図である。本例では同図に示すように、脱臭フィルター４の風上側には、フィルター押さえ枠３の突起部３３の間に更に突起部３４を設けた形状のものが配置されている。また脱臭フィルター４の風下側には、収納室４２の略中央部を押さえる袋押さえ枠８が配置されている。
【００５５】
袋押さえ枠８は、フィルター押さえ枠３とほぼ同じ形状で、突起部３３がない状態となっている。つまり、長方形の枠８１の風上側の面、即ち脱臭フィルター４に向き合う面に、計９本の桟状の突起部８４が備えられている（図示は７本）。この桟状の突起部８４は、横幅が袋押さえ枠８の横幅と同じであり、脱臭フィルター４に向かい水平方向に突出している。
【００５６】
そして、フィルター押さえ枠３の突起部３４と、袋押さえ枠８の突起部８４とにより、それぞれ風上側及び風下側から収納室４２の略中央部を押さえる構成となっている。なお、脱臭フィルター４を押さえるための突起部は、必ずしも桟状である必要はなく、棒状などの突起であっても良い。
【００５７】
また本例では、吸着材が収納された収納室４２の略中央部を押さえた状態で、収納室４２に収納された吸着材が上下方向に移動するために、収納室４２内部の空間部が減少して殆どなくなるので、空気清浄用フィルターユニット１に入った空気は、必ず脱臭フィルターの吸着材と接触しながら通過し放出されるため、脱臭効果が向上する。
【００５８】
なお、図１６に示すように、脱臭フィルター４の例えば正面上部の左右角部にそれぞれタスキ１０を設け、これを上述したプレフィルター２上部の左右角部に掛止して、脱臭フィルター４を固定するようにしても良い。これにより、フィルター押さえ枠３を省略することができ、更なる薄型化及びコストダウンを図ることができる。但し、タスキ１０の形状や配置場所等は、同図のものに限定されない。
【００５９】
図１７は、図１に示す空気清浄用フィルターユニットのプレフィルターを枠体に結合する状況を示す正面斜視図である。プレフィルター２を枠体６に結合するときには、プレフィルター２の４つの突起部２３が、相対する枠体６の係止穴６４に挿入されることによって結合がなされる。プレフィルター２と枠体６が結合された状態から、プレフィルター２のつまみ２４を引っ張ることによって、プレフィルター２と枠体６の結合が解かれ、プレフィルター２を取り外すことができる。なお同図では、プレフィルター２に先立って枠体６の中に配設されるフィルター押さえ枠３，脱臭フィルター４，集塵フィルター５の図示を省略している。
【００６０】
図１８は、図１に示す空気清浄用フィルターユニットの部分断面側面図であり、実施例１の状態を示している。図中の矢印Ａは、吸込まれる空気が流れる方向を示す。枠体６に、風下側から、集塵フィルター５，脱臭フィルター４，フィルター押さえ枠３，プレフィルター２の順に構成要素が収納されている。そして、プレフィルター２の突起部２３が、枠体６の係止穴６４に挿入されることによって、プレフィルター２と枠体６が結合され、内部のフィルターなどが脱落することなく、空気清浄用フィルターユニット１が形成される。
【００６１】
突起部２３が、枠体６から突出することで、空気清浄用フィルターユニット１が強固に形成され、また、突出した突起部２３に指を掛けることができ、取り扱いにたいへん便利である。脱臭フィルター４は、全体が柔軟な形態ではあるが、その表面の凹部４３にフィルター押さえ枠３の桟状の突起部３３が一致するように配設されているため、型崩れすることなく、所定の位置を保持することが可能である。
【００６２】
図１９は、図１に示す空気清浄用フィルターユニットを空気清浄機に組み合わせる状況を示す正面斜視図である。空気清浄機７は、筐体７１にファンと制御部（ともに図示せず）を内蔵し、前面に凹状のフィルター収納部７２を設け、そのフィルター収納部７２の奥の壁に通風孔７３を設けている。フィルター収納部７２に空気清浄用フィルターユニット１を収納し、その前面に前面パネル（図示せず）が装着される。また、凹状のフィルター収納部７２の縁部には、空気清浄用フィルターユニット１の突起部２３に対応する位置に、指掛け用の凹所７４が設けられている。
【００６３】
上述したように、傾斜連結部を設けた脱臭フィルターを空気清浄用フィルターとして機器本体に装着すると、脱臭フィルターの収納室に挿入された吸着材が下方向に移動して、収納室の上部に空間部ができるが、上側の収納室下部の吸着材で覆われた箇所（充填部）が前後で重なり、空気が空間部，充填部と流れるため、空気清浄用フィルターユニット１に入った空気は、必ず脱臭フィルターの吸着材と接触しながら通過し放出されるので、脱臭効果が向上する。
【００６４】
本実施例の脱臭フィルターによる脱臭効果の一例として、図４（ｂ）の形態でタバコ消臭試験を行なったところ、従来に比べ約２０％性能が向上した。
【実施例２】
【００６５】
図２０は、図１に示す空気清浄用フィルターユニットの脱臭フィルターの概略構成図であり、実施例２の状態を示している。図２０（ａ）は脱臭フィルターの正面斜視図、図２０（ｂ），（ｃ），（ｄ）はそれぞれ異なる例の脱臭フィルターの側面図である。脱臭フィルター４は、ポリプロピレン繊維とポリエステル繊維からなる長方形の袋体４１を、大きさが均等な複数（本実施例では７つ或いは６つ）の収納室４２が上下方向に連続するように区分けし、その各々に吸着材（例えば活性炭）を均一に分散して詰めたものである。
【００６６】
袋体４１は、全体が合成繊維のような柔軟な材料で構成されているため、各々の収納室４２に吸着材を詰めることによって、図２０（ｂ），（ｃ），（ｄ）のように側面から見ると表面に凹凸が形成される。本実施例では更に、これらの図に示すように、このような袋体４１が風上側と風下側の２列に配置され、それぞれの収納室４２が交互に位置をずらして千鳥状に配設されている。
【００６７】
ここで、図２０（ｂ）は例えば１列目（風上側）の袋体４１が７つの収納室４２を有し、２列目（風下側）の袋体４１が６つの収納室４２を有している場合を示しており、図２０（ｃ）は２列共、袋体４１が７つの収納室４２を有している場合を示している。また、（ｄ）は（ｂ）と同様である。なお、本実施例の脱臭フィルター４は、上記空気清浄用フィルターユニット１に組み込まれる際に、１列目と２列目が入れ替わって配置されても良いし、上下が逆に配置されても良く、性能上全く支障がない。つまり、使用者にとっては方向性のない構成となっている。
【００６８】
脱臭フィルター４は、以下のようにして２列に形成させる。即ち、図２０（ｂ）の場合は、２列目の袋体４１上下両端の縫いシロ４１ａを長くしておき、１列目の袋体４１と合わせて上下両端部を短辺方向にオーバーロック縫いする。また、図２０（ｃ）の場合は、１列目及び２列目それぞれの袋体４１一端の縫いシロ４１ａを長くしておき、これらが上下相対する方向に２列に配置させ、上下両端部を短辺方向にオーバーロック縫いする。
【００６９】
或いは、図２０（ｄ）のように、２列分の個数だけ収納室４２を有する袋体４１を一つ用意し、その中央部に折りシロ４１ｂを設け、この部分を折り曲げて２列に形成し、両端部を短辺方向にオーバーロック縫いしても良い。
【００７０】
図２１は、収納室における吸着材と空間部の位置関係を模式的に示す側面断面図である。同図に示すように、各収納室４２に詰められた吸着材１８は、自重で下方にさがり、上側に空間部４２ａができる。しかし、上述したように、袋体４１を風上側と風下側の２列に配置し、それぞれの収納室４２を交互に位置をずらして千鳥状に配設することにより、空気の流れ方向に対して、一方の列の収納室４２にできた空間部４２ａに、他方の列の収納室４２に詰められた吸着材１８が重なる関係となる。
【００７１】
これにより、一方側の収納室４２の空間部４２ａと他方側の収納室４２の空間部４２ａとが重なることはなく、脱臭フィルター４に入った空気は、同図の矢印ａで示すように、必ず吸着材１８と接触しながら通過し放出されるので、脱臭効果が向上する。その他、一方側の収納室４２間の凹部に他方側の収納室４２が配置されるので、脱臭フィルター４の薄型化を図ることができる。
【００７２】
なお、上述した特許文献１におけるような脱臭フィルターを、２列にずらして配置したとしても、各列のハニカムコア同士が吸着材の配置関係を空気の流れ方向に対して確実に補完した状態とすることはできない。むしろ、ハニカムコアの小さなセルが多数配設されているので、それだけ吸着材の隙間部分は多くなっており、これらの補完は不可能である。
【００７３】
本実施例では、上記収納室の空間部のように、敢えてはっきりと吸着材の隙間ができる部分を設け、その部分を確実に別途吸着材で補うところに特徴がある。その他、特許文献１のような場合は脱臭フィルターが板状の構成であるので、吸着材として活性炭を使用していても、後述するように洗濯機に投入して洗浄するといったことはできない。
【００７４】
ところで、使用する吸着材が活性炭である場合、その粒径の大小や使用量により、脱臭フィルターの性能が変わってくる。即ち、活性炭の粒径が小さいほど脱臭スピードは速くなるが、その反面、空気流に対する抵抗は大きくなり、脱臭時の騒音が大きくなる。逆に、活性炭の粒径が大きいほど空気流に対する抵抗は小さくなり、脱臭時の騒音が小さくなるが、その反面、脱臭スピードは遅くなる。一方、脱臭総量（いわゆる平衡吸着量）は活性炭の粒径には左右されず、使用される重量で決まってくる。
【００７５】
そこで本実施例では、収納室に詰め込む活性炭の粒径を風上側と風下側とで異ならせること、即ち一方側に大径のものを詰め、他方側に小径のものを詰めることを行う。また、大径，小径それぞれの活性炭の使用量、即ち活性炭の配合を変えることや、活性炭全体の使用量を調節することを行う。これにより、上述した脱臭スピード，騒音，及び脱臭総量をコントロールすることができる。
【００７６】
具体的には、大径，小径それぞれの活性炭の配合により、空気１パスでの臭いの除去率と、騒音の大きさをコントロールし、脱臭フィルターの性能設定を行うことができる。なおこの場合、風上側と風下側が入れ替わっても脱臭フィルターの性能は変わらない。また、活性炭の配合を変えても、全体の使用量（重量）を変えない限り、脱臭総量は変わらない。そのため、脱臭フィルターの交換時期が左右されることはない。
【００７７】
例えば、風上側の粒径を風下側より大きくした場合は、風上側でとりあえず大まかな脱臭を行い、しかる後に、風下側で臭いを後ろへ逃さないうちに取りきる構成となる。逆に、風上側の粒径を風下側より小さくした場合は、風上側で大部分の脱臭を行い、しかる後に、風下側で残りの臭いを取る構成となる。
【００７８】
また、活性炭の表面に、薬品によるトリートメント（薬品の添着）を施すことにより、脱臭する臭いの種類を変えることができる。さらには、使用する薬品の種類（例えばアニリン，ヨウ素，飽和環状第２アミン酸，リンゴ酸，リン酸）によっても、即ち異なるトリートメントによっても、脱臭する臭いの種類を変えることができる。そこで、風上側及び風下側の収納室の一方にトリートメントを施さない活性炭を詰め込み、他方にトリートメントを施した活性炭を詰め込むことを行う。若しくは両方にトリートメントを施した活性炭を詰め込んでも良い。
【００７９】
或いは、風上側及び風下側の収納室の一方に或る薬品（例えばアニリン）によるトリートメントを施した活性炭を詰め込み、他方に別の薬品（例えばリン酸）によるトリートメントを施した活性炭を詰め込むことを行う。これにより、脱臭可能な臭いの種類を増加させ、またコントロールすることができる。なお、臭いの種類には、大きく分けて中性，酸性，及びアルカリ性のものがあるが、上記トリートメントによって、化学吸着されるこれら臭いの種類が変わるものである。また、トリートメントする活性炭の粒径を変えることにより、除去される臭いの種類と脱臭スピードをコントロールすることができる。
【００８０】
その他、活性炭に化学的処理を施し、官能基（例えば、カルボキシル基，−ＣＯＯＨ）を設けて脱臭する臭いの種類を変えることができる。この場合、風上側及び風下側の収納室の一方に官能基を設けない活性炭を詰め込み、他方に官能基を設けた活性炭を詰め込むことを行う。若しくは両方に官能基を設けた活性炭を詰め込んでも良い。或いは、風上側及び風下側の収納室の一方に或る官能基を設けた活性炭を詰め込み、他方に別の官能基を設けた活性炭を詰め込むことを行う。これにより、脱臭可能な臭いの種類を増加させ、またコントロールすることができる。
【００８１】
なお、本実施例で用いる脱臭フィルターの基本構成は、上記実施例１で説明したものと同様であるが、垂直断面図としては図８の代わりに図２２のような形状となる。このような基本構成を持つ脱臭フィルターを、本実施例では２列に組み合わせて形成し、使用するものである。また、本実施例で用いるフィルター押さえ枠の構成も、上記実施例１で説明したものと同様であるが、本実施例のフィルター押さえ枠３は、図１２に示した通り、長方形の枠３１に、空気の流入が可能な７段３列の角孔３２を備える。また、風下側の面、すなわち脱臭フィルター４に向き合う面に、各角孔３２の間に計６本の桟状の突起部３３が備えられている。その他、プレフィルター，集塵フィルター，及び枠体については、各実施例とも同様の構成である。また、空気清浄用フィルターユニットを空気清浄機に組み合わせる構成についても同様である。
【００８２】
図２３は、図１に示す空気清浄用フィルターユニットの脱臭フィルターとフィルター押さえ枠の位置関係を示す側面図であり、実施例２の状態を示している。脱臭フィルター４をほぼ垂直方向に起立させて前記枠体６に納める場合、全体が柔軟であるがために、それを垂直に装着する場合に形を保持しておくが困難で、所定の位置からずれてしまうという問題が生じる。
【００８３】
そこで、図中の矢印のように、フィルター押さえ枠３に備えられた桟状突起部３３を、脱臭フィルター４の１列目の袋体４１表面の凹部４３に一致させている。或いは２列目の袋体４１表面（裏側表面）の凹部４３に一致させても良い。これにより、脱臭フィルター４はフィルター枠３とずれることなく、枠体６の内部で型崩れせずに、所定の位置を保持することが可能である。なお、同図の脱臭フィルター４は、図２０（ｂ）のものを図示している。
【００８４】
また、同図では片側からフィルター押さえ枠３で脱臭フィルター４を支持しているが、両側からフィルター押さえ枠３で脱臭フィルター４を支持するようにしても良い。即ち、一つのフィルター押さえ枠３に備えられた桟状突起部３３を、脱臭フィルター４の１列目の袋体４１表面の凹部４３に一致させ、もう一つのフィルター押さえ枠３に備えられた桟状突起部３３を、脱臭フィルター４の２列目の袋体４１表面の凹部４３に一致させても良い。これにより、全体が柔軟で自重が重くても、脱臭フィルター４をほぼ垂直方向に起立させて前記枠体６に装着，保持することができ、所定の位置からずれてしまうという問題が解消される。
【００８５】
図２４は、図１に示す空気清浄用フィルターユニットの部分断面側面図であり、実施例２の状態を示している。図中の矢印Ａは、吸込まれる空気が流れる方向を示す。枠体６に、風下側から、集塵フィルター５，脱臭フィルター４，フィルター押さえ枠３，プレフィルター２の順に構成要素が収納されている。そして、プレフィルター２の突起部２３が、枠体６の係止穴６４に挿入されることによって、プレフィルター２と枠体６が結合され、内部のフィルターなどが脱落することなく、空気清浄用フィルターユニット１が形成される。
【００８６】
突起部２３が、枠体６から突出することで、空気清浄用フィルターユニット１が強固に形成され、また、突出した突起部２３に指を掛けることができ、取り扱いにたいへん便利である。脱臭フィルター４は、全体が柔軟な形態ではあるが、その表面の凹部４３にフィルター押さえ枠３の桟状突起部３３が一致するように配設されているため、型崩れすることなく、所定の位置を保持することが可能である。なお、同図の脱臭フィルター４は、図２０（ｂ）のものを図示している。
【００８７】
以上のように、２列に配置したタイプの脱臭フィルターを空気清浄用フィルターに組み込んで空調機器本体に装着したとき、脱臭フィルターの収納室に挿入された吸着材が、下方向に移動し収納室の上部に空間部が形成される。しかし、２列にずらして配設されているために、一方側の収納室の空間部と他方側の収納室の空間部とが重なることはなく、空気清浄用フィルターユニット１に入った空気は、必ず脱臭フィルターの吸着材と接触しながら通過し放出されるので、脱臭効果が向上する。
【００８８】
本実施例の脱臭フィルターによる脱臭効果の一例として、図２０（ｂ）の形態でタバコ消臭試験を行なったところ、従来に比べ約２０％性能が向上した。
【００８９】
上記のように本発明の実施形態を示したが、この他、発明の主旨を逸脱しない範囲で種々の変更を加えて実施することができる。なお、特許請求の範囲で言う形状維持部材は、実施形態における張り糸に対応している。また、空気調節装置は空気清浄機に対応している。
【図面の簡単な説明】
【００９０】
【図１】本発明の一実施形態に係る空気清浄用フィルターユニットの構成要素を分解した状態の正面斜視図。
【図２】空気清浄用フィルターユニットの組立状態の正面斜視図。
【図３】プレフィルターの正面斜視図。
【図４】脱臭フィルターの概略構成図（実施例１）。
【図５】収納室における吸着材と空間部の位置関係を模式的に示す図（実施例１）。
【図６】脱臭フィルターの正面図。
【図７】脱臭フィルターの上面図。
【図８】脱臭フィルターの垂直断面図（実施例１）。
【図９】脱臭フィルターの部分拡大断面図。
【図１０】脱臭フィルターの内部を模式的に示す図。
【図１１】集塵フィルターの正面斜視図。
【図１２】フィルター押さえ枠を脱臭フィルターの側から見た斜視図。
【図１３】枠体の正面斜視図。
【図１４】脱臭フィルターとフィルター押さえ枠の位置関係を示す図（実施例１）。
【図１５】脱臭フィルターとフィルター押さえ枠の位置関係の他の例を示す図。
【図１６】脱臭フィルターにタスキを設けた状態を示す図。
【図１７】プレフィルターを枠体に結合する状況を示す正面斜視図。
【図１８】空気清浄用フィルターユニットの部分断面側面図（実施例１）。
【図１９】空気清浄用フィルターユニットを空気清浄機に組み合わせる状況を示す正面斜視図。
【図２０】脱臭フィルターの概略構成図（実施例２）。
【図２１】収納室における吸着材と空間部の位置関係を模式的に示す図（実施例２）。
【図２２】脱臭フィルターの垂直断面図（実施例２）。
【図２３】脱臭フィルターとフィルター押さえ枠の位置関係を示す図（実施例２）。
【図２４】空気清浄用フィルターユニットの部分断面側面図（実施例２）。
【符号の説明】
【００９１】
１    空気清浄用フィルターユニット
２    プレフィルター
３    フィルター押さえ枠
４    脱臭フィルター
５    集塵フィルター
６    枠体
７    空気清浄機
８    袋押さえ枠
１０    タスキ
１１    メッシュ材
１３    縫い目
１４    縫い糸
１５    スペーサー
１６    ミシン掛け
１７    オーバーロック縫い
１８    吸着材
１９    洗濯ケアタグ
２０    張り糸
２１    長方形枠
２２    メッシュ
２３    突起部
２４    つまみ
３１    枠
３２    角孔
３３，３４    突起部
４１    袋体
４２    収納室
４３    凹部
６１    箱体
６２    角孔
６３    格子枠
６４    係止穴
７１    筐体
７２    フィルター収納部
７３    通風孔
７４    凹所
８１    枠
８４    突起部
【図１】
2004255159.tif 000003
【図２】
2004255159.tif 000004
【図３】
2004255159.tif 000005
【図４】
2004255159.tif 000006
【図５】
2004255159.tif 000007
【図６】
2004255159.tif 000008
【図７】
2004255159.tif 000009
【図８】
2004255159.tif 000010
【図９】
2004255159.tif 000011
【図１０】
2004255159.tif 000012
【図１１】
2004255159.tif 000013
【図１２】
2004255159.tif 000014
【図１３】
2004255159.tif 000015
【図１４】
2004255159.tif 000016
【図１５】
2004255159.tif 000017
【図１６】
2004255159.tif 000018
【図１７】
2004255159.tif 000019
【図１８】
2004255159.tif 000020
【図１９】
2004255159.tif 000021
【図２０】
2004255159.tif 000022
【図２１】
2004255159.tif 000023
【図２２】
2004255159.tif 000024
【図２３】
2004255159.tif 000025
【図２４】
2004255159.tif 000026